Podtech/llm-jp-corpus-v4-ja_patent huggingface dataset:
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
(1S,3S)-3-アミノ-4-(ジフルオロメチリデン)シクロペンタン-1-カルボン酸またはその薬学的に許容される塩を含む、対象のCDKL5障害を治療するための医薬組成物であって、
0.01 mg〜500 mgの量の(1S,3S)-3-アミノ-4-(ジフルオロメチリデン)シクロペンタン-1-カルボン酸またはその薬学的に許容される塩が対象に投与される、医薬組成物。
【請求項２】
24時間で総量1 mg〜500 mgの(1S,3S)-3-アミノ-4-(ジフルオロメチリデン)シクロペンタン-1-カルボン酸またはその薬学的に許容される塩が対象に投与される、請求項１に記載の医薬組成物。
【請求項３】
運動失調、歩行障害、言語障害、発声、認識障害、運動異常、臨床的発作、亜臨床的発作、筋緊張低下、筋緊張亢進、流涎、マウシング行動、前兆、痙攣、反復運動、異常な感覚、単純焦点発作、複雑焦点発作、全般発作、欠神、強直発作、脱力発作、ミオクローヌス発作、強直間代発作、間代発作、発作の頻度および発作の重篤度からなる群から選択される少なくとも1つの症状が改善される、請求項１に記載の医薬組成物。
【請求項４】
対象がCDKL5障害と診断されている、発作、脊柱側弯症、視覚障害、感覚問題、胃腸障害、筋肉の緊張の低さまたは乏しさ、手の搾り行動、手のマウシング、著しい発達遅延、発話の制限または欠如、アイコンタクトの欠如または乏しさ、胃食道逆流、便秘、小さくて冷たい足、呼吸の不規則性、歯ぎしり、理由のない笑いや泣き声のエピソード、非常に限られた手技、自閉症のような傾向、皮質性視覚障害、失行、飲食の課題、睡眠障害、横目、および足を組む習慣から選択される少なくとも1つの症状が改善される、請求項１に記載の医薬組成物。
医薬組成物。
【請求項５】
(S)-3-アミノ-4-(ジフルオロメチレニル)シクロペント-1-エン-1-カルボン酸またはその薬学的に許容される塩を含む、対象のCDKL5障害を治療するための医薬組成物であって、
0.01 mg〜75 mgの量の(S)-3-アミノ-4-(ジフルオロメチレニル)シクロペント-1-エン-1-カルボン酸またはその薬学的に許容される塩が対象に投与される、医薬組成物。
【請求項６】
24時間で総量1 mg〜50 mgの(S)-3-アミノ-4-(ジフルオロメチレニル)シクロペント-1-エン-1-カルボン酸またはその薬学的に許容される塩が対象に投与される、請求項５に記載の医薬組成物。
【請求項７】
運動失調、歩行障害、言語障害、発声、認識障害、運動異常、臨床的発作、亜臨床的発作、筋緊張低下、筋緊張亢進、流涎、マウシング行動、前兆、痙攣、反復運動、異常な感覚、単純焦点発作、複雑焦点発作、全般発作、欠神、強直発作、脱力発作、ミオクローヌス発作、強直間代発作、間代発作、発作の頻度および発作の重篤度からなる群から選択される少なくとも1つの症状が改善される、請求項５に記載の医薬組成物。
【請求項８】
対象がCDKL5障害と診断されている、発作、脊柱側弯症、視覚障害、感覚問題、胃腸障害、筋肉の緊張の低さまたは乏しさ、手の搾り行動、手のマウシング、著しい発達遅延、発話の制限または欠如、アイコンタクトの欠如または乏しさ、胃食道逆流、便秘、小さくて冷たい足、呼吸の不規則性、歯ぎしり、理由のない笑いや泣き声のエピソード、非常に限られた手技、自閉症のような傾向、皮質性視覚障害、失行、飲食の課題、睡眠障害、横目、および足を組む習慣から選択される少なくとも1つの症状が改善される、請求項５に記載の医薬組成物。
【請求項９】
(1S,3S)-3-アミノ-4-(ジフルオロメチリデン)シクロペンタン-1-カルボン酸またはその薬学的に許容される塩を含む、対象のCDKL5障害を治療するための医薬組成物であって、
CDKL5障害の症状を軽減するか、または防止するために、異常なEEGの検出後の臨床発作の発症前に投与される、医薬組成物。
【請求項１０】
24時間で総量1 mg〜500 mgの(1S,3S)-3-アミノ-4-(ジフルオロメチリデン)シクロペンタン-1-カルボン酸またはその薬学的に許容される塩が対象に投与される、請求項９に記載の医薬組成物。
【請求項１１】
(S)-3-アミノ-4-(ジフルオロメチレニル)シクロペント-1-エン-1-カルボン酸またはその薬学的に許容される塩を含む、対象のCDKL5障害を治療するための医薬組成物であって、
CDKL5障害の症状を軽減するか、または防止するために、異常なEEGの検出後の臨床発作の発症前に投与される、医薬組成物。
【請求項１２】
24時間で総量1 mg〜50 mgの(S)-3-アミノ-4-(ジフルオロメチレニル)シクロペント-1-エン-1-カルボン酸またはその薬学的に許容される塩が対象に投与される、請求項１１に記載の医薬組成物。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
薬剤と、
ポロキサマーと、
水溶性アニオン性多糖類と、
ＰＥＧエステルとを含み、
前記薬剤が、
【化１】
2020506238.tif 000001
又はその薬学的に許容される塩である、乱用抑止製剤。
【請求項２】
前記ポロキサマーがポロキサマー１２４である、請求項１に記載の乱用抑止製剤。
【請求項３】
前記水溶性アニオン性多糖類がジェランガムである、請求項１又は２に記載の乱用抑止製剤。
【請求項４】
前記ＰＥＧエステルがステアリン酸ポリオキシルである、請求項１〜３のいずれか一項に記載の乱用抑止製剤。
【請求項５】
ポロキサマー：水溶性アニオン性多糖類：ＰＥＧエステルの比が約４０：３０：３０である、請求項１〜４のいずれか一項に記載の乱用抑止製剤。
【請求項６】
ポロキサマーを３３〜４３重量％、水溶性アニオン性多糖類を２４〜３２重量％、ＰＥＧエステルを２４〜３２重量％含む、請求項１〜４のいずれか一項に記載の乱用抑止製剤。
【請求項７】
前記ポロキサマーがポロキサマー１２４であり、前記水溶性アニオン性多糖類がジェランガムであり、前記ＰＥＧエステルがステアリン酸ポリオキシルである、請求項１〜６のいずれか一項に記載の乱用抑止製剤。
【請求項８】
ポロキサマー１２４：ジェランガム：ステアリン酸ポリオキシルの比が約４０：３０：３０である、請求項７に記載の乱用抑止製剤。
【請求項９】
前記ポロキサマーがKollisolv P124であり、前記水溶性アニオン性多糖類がKelcogel CGHAであり、前記ＰＥＧエステルがGelucire 48/16である、請求項１〜８のいずれか一項に記載の乱用抑止製剤。
【請求項１０】
薬剤と、
ポロキサマー１２４と、
ジェランガムと、
ステアリン酸ポリオキシルとを含み、
ポロキサマー１２４：ジェランガム：ステアリン酸ポリオキシルの比が約４０：３０：３０であり、
前記薬剤が、
【化２】
2020506238.tif 000002
又はその薬学的に許容される塩であり、
前記薬剤の少なくとも８０％は４５分以内に溶液中に放出される、乱用抑止製剤。
【請求項１１】
前記ポロキサマー１２４がKollisolv P124であり、前記ジェランガムがKelcogel CGHAであり、前記ステアリン酸ポリオキシルがGelucire 48/16である、請求項１０に記載の乱用抑止製剤。
【請求項１２】
薬剤と、
ＰＥＧエステル、ポロキサマー、水溶性アニオン性多糖類及びカルボキシメチルセルロースからなる群から選ばれる少なくとも２種の賦形剤とを含む乱用抑止製剤であって、
以下の性質
（ａ）前記薬剤の少なくとも８０％が４５分以内に溶液中に放出される溶解プロファイルを有する
（ｂ）２６ゲージ針を介して乱用抑止製剤を押し出すピーク力が、２６ゲージ針を介して非乱用抑止製剤を注入するピーク力より１桁大きい
（ｃ）２６ゲージ針を介して乱用抑止製剤を押し出すときの力対時間曲線下面積は、２６ゲージ針を介して濾過済みの試料である非乱用抑止製剤を押し出すときの力対時間曲線下面積より約４倍大きい
（ｄ）乱用抑止製剤の粘度は、未濾過の試料である非乱用抑止製剤より約３桁大きい
（ｅ）乱用抑止製剤と水の混合物は注射することができない
（ｆ）約５分間粉砕した後、乱用抑止製剤の５重量％未満は、目開き１ｍｍのふるいを通り抜ける、及び
（ｇ）乱用抑止製剤の単位用量から薬剤の１０％未満が１０ｍＬの水で抽出される
からなる群から選ばれる少なくとも１つの性質を有することを特徴とし、
前記薬剤が、
【化３】
2020506238.tif 000003
又はその薬学的に許容される塩である、乱用抑止製剤。
【請求項１３】
前記薬剤がデキストロアンフェタミン、又はその薬学的に許容される塩である、請求項１〜１２のいずれか一項に記載の乱用抑止製剤。
【請求項１４】
約１０ｍｇ〜約５０ｍｇの薬剤を含む、請求項１〜１３のいずれか一項に記載の乱用抑止製剤。
【請求項１５】
５ｍｇ、１０ｍｇ、１５ｍｇ、２０ｍｇ、２５ｍｇ、３０ｍｇ、３５ｍｇ、４０ｍｇ、４５ｍｇ、又は５０ｍｇの単位用量の薬剤を含む、請求項１〜１３のいずれか一項に記載の乱用抑止製剤。
【請求項１６】
前記薬剤がＳ鏡像異性体、又はその薬学的に許容される塩である、請求項１〜１５のいずれか一項に記載の乱用抑止製剤。
【請求項１７】
前記薬剤が硫酸塩である、請求項１〜１６のいずれか一項に記載の乱用抑止製剤。
【請求項１８】
カプセルをさらに含む、請求項１〜１７のいずれか一項に記載の乱用抑止製剤。
【請求項１９】
カプセルがゼラチンを含む、請求項１８に記載の乱用抑止製剤。
【請求項２０】
請求項１８又は１９に記載の乱用抑止製剤の製造方法であって、
（１）前記薬剤と、前記ポロキサマー１２４、水溶性アニオン性多糖類及びＰＥＧエステルとを混合すること、
（２）前記工程（１）で作成した混合物でカプセルを充填すること、及び
（３）前記カプセルを乾燥すること、
を含む、方法。
【請求項２１】
被験者の注意欠陥・多動性障害（ＡＤＨＤ）の治療に用いるための、請求項１〜１９のいずれか一項に記載の乱用抑止製剤。
【請求項２２】
前記被験者が成人である、請求項２１に記載の乱用防止剤。
【請求項２３】
前記被験者が小児科の患者である、請求項２１に記載の乱用防止剤。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
患者中の長寿命同位体の定量可能な蓄積を伴わずに、複数回投与で治療上有効である臨床的に適切な線量のキレート組成物を含むキレート組成物の医薬的に許容し得る製剤であって、前記製剤を患者に投与することを含む、骨痛、１種又はそれ以上の石灰化腫瘍を有するか、又は骨髄抑制処置を必要とする患者の治療方法において使用するための製剤であり、前記組成物は、製剤中に存在するＥｕ−１５４がＳｍ−１５３の１ｍＣｉ当たり０．０９３μＣｉ未満のＥｕ−１５４であることに基づいて、約５日以上の、前記組成物を調製するために使用されるＳｍ−１５３の延長された使用期限を有し、及び前記キレートは、ＬＳＡ  Ｓｍ−１５３及びＤＯＴＭＰ又はその生理学的に許容し得る塩を含む、上記製剤。
【請求項２】
前記Ｓｍ−１５３の量が約０．３〜１．５ｍＣｉ／ｋｇ又はそれより多い、請求項１に記載の製剤。
【請求項３】
前記Ｓｍ−１５３の量が約０．５ｍＣｉ／ｋｇである、請求項２に記載の製剤。
【請求項４】
前記キレート組成物を調製するために使用されるＳｍ−１５３の使用期限が約１０日以上である、請求項１に記載の製剤。
【請求項５】
前記複数回投与が、３ヶ月間隔で投与される患者に対して少なくとも５回の投与である、請求項１に記載の製剤。
【請求項６】
前記複数回投与が、最初の５回の投与については３ヶ月間隔で投与され、次に最後の５回の投与については６ヶ月間隔で投与される、患者に対して少なくとも１０回の投与である、請求項１に記載の製剤。
【請求項７】
前記組成物が、終了時にＳｍ−１５３の１ｍＣｉ当たり０．０９３μＣｉ未満のＥｕ−１５４を含む、請求項１に記載の製剤。
【請求項８】
前記臨床的に適切な線量が、体重１ｋｇ当たり約０．５ｍＣｉ、又は７０ｋｇの患者に対して約３０ｍＣｉである、請求項１に記載の製剤。
【請求項９】
前記臨床的に適切な線量が、体重１ｋｇ当たり約１．０ｍＣｉ、又は７０ｋｇの患者に対して約７０ｍＣｉである、請求項１に記載の製剤。
【請求項１０】
前記医薬的に許容し得る製剤が、適切な溶媒、防腐剤、希釈剤、賦形剤、及び緩衝剤のうちの１つ又はそれ以上を含む、請求項１に記載の製剤。
【請求項１１】
前記製剤の溶媒が、水、水性アルコール又はグリコールである、請求項９に記載の製剤。
【請求項１２】
治療上有効でかつ医薬的に許容し得る臨床的に適切な線量の組成物を含むキレート組成物であって、前記組成物は、約５日以上である、前記組成物を調製するために使用されるＳｍ−１５３の延長された使用期限を有し、及び前記キレートは、Ｓｍ−１５３及びＤＯＴＭＰ又はその生理学的に許容し得る塩を含む、上記組成物。
【請求項１３】
前記組成物が、放射線照射終了時に３Ｃｉ／ｍｇ未満である比放射能を有するＳｍ−１５３から調製される、請求項１２に記載のキレート組成物。
【請求項１４】
前記組成物が、放射線照射終了時にＳｍ−１５３の１Ｃｉ当たり１０μＣｉ未満のＥｕ−１５４のＥｕ−１５４濃度を有したＳｍ−１５３から調製される、請求項１２に記載のキレート組成物。
【請求項１５】
前記組成物が、１Ｅ１４中性子／ｃｍ2秒未満のフラックスで原子炉で製造されたＳｍ−１５３から調製され、前記キレートがＳｍ−１５３及びＤＯＴＭＰ又はその生理学的に許容し得る塩を含み、ここで前記Ｓｍ−１５３の線量は少なくとも３０ｍＣｉである、請求項１２に記載のキレート組成物。
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
患者の術後悪心及び/又は嘔吐の治療に使用するアミスルプリドを含む医薬であって、前記患者は、術後悪心及び/又は嘔吐の予防薬を既に投与されており、アミスルプリドの用量は、7.5乃至15mgである、医薬。
【請求項２】
アミスルプリドの用量は、10mgである、請求項1記載の医薬。
【請求項３】
前記予防薬は、アミスルプリドではない、請求項1又は2記載の医薬。
【請求項４】
前記予防薬は、ドパミン-2(D2)拮抗薬ではない、請求項1乃至3の何れかに記載の医薬。
【請求項５】
前記予防薬は、5HT3拮抗薬、コルチコステロイド、抗ヒスタミン剤(H1)、抗コリン作用薬、H2拮抗薬、又はNK1拮抗薬から選択される制吐剤である、請求項1乃至4の何れかに記載の医薬。
【請求項６】
前記アミスルプリドは、他の制吐剤と組み合わせて、個別に、連続して、又は同時に投与される、請求項1乃至5の何れかに記載の医薬。
【請求項７】
前記他の制吐剤は、5HT3拮抗薬、NK1拮抗薬、又はステロイドである、請求項6記載の医薬。
【請求項８】
前記他の制吐剤は、デキサメタゾン、オンダンセトロン、グラニセトロン、パロノセトロン、アプレピタント、ネツピタント、又はロラピタントである、請求項6又は請求項7記載の医薬。
【請求項９】
前記アミスルプリドは、実質的にラセミ体の形態である、請求項1乃至8の何れかに記載の医薬。
【請求項１０】
前記アミスルプリドは、静脈内経路を介して投与される、請求項1乃至9の何れかに記載の医薬。
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
対象の１つ以上の関節における変形性関節症の予防または治療において使用するためのアネキシンＡ５タンパク質であって、
前記関節または各関節が、滑膜性連結、半関節連結、および不動結合連結からなる一覧から選択される、アネキシンＡ５タンパク質。
【請求項２】
前記アネキシンＡ５タンパク質が前記関節または各関節に投与される、請求項１に記載の使用のためのアネキシンＡ５タンパク質。
【請求項３】
対象の１つ以上の関節における変形性関節症の予防または治療において使用するためのアネキシンＡ５タンパク質であって、
前記アネキシンＡ５タンパク質が前記関節または各関節に投与される、アネキシンＡ５タンパク質。
【請求項４】
前記関節または各関節が、滑膜性連結、半関節連結、および不動結合連結からなる一覧から選択される、請求項３に記載の使用のためのアネキシンＡ５タンパク質。
【請求項５】
前記変形性関節症が、原発性変形性関節症または続発性変形性関節症である、請求項１〜４のいずれか１項に記載の使用のためのアネキシンＡ５タンパク質。
【請求項６】
前記原発性変形性関節症が全身性結節性変形性関節症またはびらん性変形性関節症である、請求項５に記載の使用のためのアネキシンＡ５タンパク質。
【請求項７】
対象の１つ以上の関節におけるびらん性変形性関節症の予防または治療において使用するためのアネキシンＡ５タンパク質であって、
任意選択で、前記アネキシンＡ５タンパク質が前記関節または各関節に投与され、
任意選択で、前記関節または各関節が、滑膜性連結、半関節連結、および不動結合連結からなる一覧から選択される、アネキシンＡ５タンパク質。
【請求項８】
前記対象が前記関節または各関節に変形性関節症を有する、請求項１〜７のいずれか１項に記載の対象における変形性関節症の治療に使用するためのアネキシンＡ５タンパク質。
【請求項９】
前記対象が変形性関節症と診断されており、
任意選択で、前記変形性関節症の診断が、治療される関節または各関節におけるものである、請求項１〜８のいずれか１項に記載の使用のためのアネキシンＡ５タンパク質。
【請求項１０】
前記滑膜性連結が、平面関節（例えば、肋椎関節、椎間関節、手根中央関節、手根中手指関節、中手間関節、仙腸関節、関節突起間関節、胸肋関節、距骨下関節（もしくは距踵関節）、または肩鎖関節）；球関節（例えば、脛骨足根骨関節、脛腓関節、肩関節、距踵舟関節、または股関節）；蝶番関節（例えば、足関節、肘関節、顎関節、指節間関節、後膝関節、または膝関節）；車軸関節（例えば、環軸関節、環軸関節、近位橈骨関節、飛節、足根間関節、距踵舟関節、踵立方関節、または遠位橈尺関節）；顆状関節（例えば、環椎後頭関節、橈骨手根関節、中足指節関節、手首関節、手根間関節、橈骨手根関節、または中手指節関節）；および鞍関節（例えば、母指手根中手関節、踵立方関節、または胸鎖関節）からなる一覧から選択される１つ以上の滑膜性連結である、請求項１、２、または４〜９のいずれか１項に記載の使用のためのアネキシンＡ５タンパク質。
【請求項１１】
前記対象が年少者ではなく、かつ／または身体的成長が完了している対象である、請求項１〜１０のいずれか１項に記載の使用のためのアネキシンＡ５タンパク質。
【請求項１２】
前記対象がヒト、ウマ科（ウマを含む）、ウシ科、ラクダ、ブタ、ラマ、アルパカ、ヒツジ、ヤギ、イヌ科、ネコ科、ウサギ、またはげっ歯類などの哺乳類対象である、請求項１〜１１のいずれか１項に記載の使用のためのアネキシンＡ５タンパク質。
【請求項１３】
前記対象がヒトである、請求項１２に記載の使用のためのアネキシンＡ５タンパク質。
【請求項１４】
前記対象が４５歳以上である、請求項１３に記載の使用のためのアネキシンＡ５タンパク質。
【請求項１５】
前記対象がウマである、請求項１２に記載の使用のためのアネキシンＡ５タンパク質。
【請求項１６】
前記対象が５歳以上である、請求項１５に記載の使用のためのアネキシンＡ５タンパク質。
【請求項１７】
前記アネキシンＡ５タンパク質が、少なくとも１μｇ／ｍｌの濃度で投与される、請求項１〜１６のいずれか１項に記載の使用のためのアネキシンＡ５タンパク質。
【請求項１８】
前記アネキシンＡ５タンパク質が、
ａ）ヒトアネキシンＡ５（任意選択で、Ｎ末端メチオニンを含むかまたは含まない、配列番号１の配列からなるタンパク質）の配列を含む、本質的にそれからなる、またはそれからなるタンパク質、
ｂ）ヒトアネキシンＡ５の哺乳動物相同分子種、
ｃ）ａ）またはｂ）の対立遺伝子または遺伝的バリアント、
ｄ）Ｎ末端メチオニンを含むかまたは含まないヒトアネキシンＡ５、配列番号１と、５０％、６０％、７０％、７５％以上、例えば８０％、８５％、９０％超、またはさらにより好ましくは９５％もしくは９９％超同一であるタンパク質である、アネキシンの機能的類似体またはバリアント、
ｅ）ａ）、ｂ）、ｃ）、またはｄ）のいずれかの生物学的に活性な断片、
ｆ）ａ）、ｂ）、ｃ）、ｄ）、またはｅ）のいずれかからなる単量体、それらを含むかもしくはそれらからなる二量体、またはそれらを含む融合タンパク質、ならびに
ｇ）ａ）、ｂ）、ｃ）、ｄ）、ｅ）、またはｆ）のいずれかのＰＥＧ化バリアント、である、請求項１〜１７のいずれか一項に記載の使用のためのアネキシンＡ５タンパク質。
【請求項１９】
前記アネキシンＡ５タンパク質が、薬学的に許容される組成物または獣医学的に許容される組成物などの組成物に製剤化されている、請求項１〜１８のいずれか１項に記載の使用のためのアネキシンＡ５タンパク質。
【請求項２０】
前記アネキシンＡ５タンパク質または組成物が１ｍｌ以上の体積で前記関節または各関節に投与され、
任意選択で、前記アネキシンＡ５タンパク質または組成物が１０ｍｌ以下の体積で前記関節または各関節に投与される、請求項１〜１９のいずれか１項に記載の使用のためのアネキシンＡ５タンパク質。
【請求項２１】
前記対象が、ライフスタイルの変更、投薬、および手術のうちの１つ以上から選択される１つ以上の追加の治療と別個に、同時に、または逐次的に、アネキシンＡ５タンパク質または組成物によって治療される、請求項１〜２０のいずれか１項に記載の使用のためのアネキシンＡ５タンパク質。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
個人の心臓活動を監視する方法であって、前記方法は、
較正段階において、前記個人について心電図データを心電図モニターから取得するステップと、
前記較正段階において、前記個人について較正心臓活動データを、プレチスモグラフィセンサーを備えたウェアラブルデバイスから取得するステップと、
監視段階において、前記個人について監視心臓活動データを、前記プレチスモグラフィセンサーを備えた前記ウェアラブルデバイスから取得するステップと、
前記較正段階において取得された前記心電図データと前記較正心臓活動データとから較正データを生成するステップと、
前記較正データを用いて、前記監視段階において前記ウェアラブルデバイスによって取得された前記監視心臓活動データを較正するステップとを有する、
方法。
【請求項２】
前記較正心臓活動データを前記個人又は他の受信者へ伝達するステップをさらに有する、請求項１に記載の方法。
【請求項３】
前記心電図データ、前記較正心臓活動データ及び前記監視心臓活動データは、それぞれ、一連のＲ−Ｒ不規則性指数を含む、請求項１に記載の方法。
【請求項４】
前記心電図データを取得するステップは、
Ｒ−Ｒ間隔データを前記心電図モニターから受信するステップと、
一連のＲ−Ｒ不規則性指数を前記Ｒ−Ｒ間隔データから算出するステップとを含み、前記心電図データは、前記Ｒ−Ｒ不規則性指数を有する、請求項１に記載の方法。
【請求項５】
前記較正データは、パーソナライズされた心臓活動閾値を含む、請求項１に記載の方法。
【請求項６】
前記較正するステップは、前記監視段階において前記ウェアラブルデバイスによって取得された前記監視心臓活動データをパーソナライズされた前記心臓活動閾値と比較するステップを有する、請求項５に記載の方法。
【請求項７】
前記較正データを生成するステップは、
前記心電図データから少なくとも１つの心イベントを特定するステップと、
前記心電図データにおいて特定された少なくとも１つの心イベントに対応する前記較正心臓活動データの少なくとも一部分を除いた較正心臓活動データに基づいて前記パーソナライズされた閾値を生成するステップとを有する、請求項５に記載の方法。
【請求項８】
前記心電図データは第１の較正段階において取得され、前記較正心臓活動データは第２の較正段階において取得される、請求項１に記載の方法。
【請求項９】
個人の心臓活動を監視するためのシステムであって、前記システムは、
較正段階において、前記個人について心電図データを収集する心電図モニターと
プレチスモグラフィセンサーを備え、前記較正段階において及び監視段階において、前記プレチスモグラフィセンサーによって、前記個人について心臓活動データを収集する、ウェアラブルデバイスと
（ｉ）前記較正段階において取得された前記心電図データ及び前記心臓活動データから較正データを生成し、（ｉｉ）前記較正データを用いて、前記ウェアラブルデバイスによって前記監視段階において取得された心臓活動データを較正するプロセッサと、を備える、システム。
【請求項１０】
前記プロセッサは、較正された心臓活動データを前記個人又は他の受信者へ伝達する、請求項９に記載のシステム。
【請求項１１】
前記較正データは、パーソナライズされた心臓活動閾値を含む、請求項９に記載のシステム。
【請求項１２】
較正することは、前記監視段階において前記ウェアラブルデバイスによって取得された前記心臓活動データをパーソナライズされた心臓活動閾値と比較することを有する、請求項９に記載のシステム。
【請求項１３】
前記較正段階と前記監視段階とは重なり合わない、請求項９に記載のシステム。
【請求項１４】
個人の心臓活動を分析するための装置であって、前記装置は、
較正段階において、前記個人について心電図モニターによって取得された心電図データを受信することと
プレチスモグラフィセンサーを備えたウェアラブルデバイスによって前記較正段階において取得された前記個人について心臓活動データを受信することと
前記較正段階において取得された前記心電図データ及び前記心臓活動データから較正データを生成することと
前記較正データを用いて、前記ウェアラブルデバイスによって監視段階において取得された心臓活動データを較正することと、を実行するプロセッサを備える、装置。
【請求項１５】
前記プロセッサは、較正された前記心臓活動データを前記個人又は他の受信者へ伝達する、請求項１４に記載の装置。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
少なくとも１つの病原体低減化収集容器を備える装置であって、
前記少なくとも１つの病原体低減化収集容器は、
−少なくとも３つのチューブ取り付けポイントを備える少なくとも１つの分配器と、
−少なくとも３つのチューブであって、前記少なくとも３つのチューブのうち１つが、前記収集容器（１）を、前記少なくとも１つの分配器の前記少なくとも３つのチューブ取り付けポイントのうちの第１のチューブ取り付けポイントと接続する、少なくとも３つのチューブと、
を介して少なくとも１つの非無菌化廃棄物処分部位（１６）と流体接続しており、
−第２のチューブ（１０）は、前記少なくとも１つの分配器の前記少なくとも３つのチューブ取り付けポイントのうちの第２のチューブ取り付けポイントを、前記非無菌化廃棄物処分部位（１６）と接続し、
−前記３つのチューブのうちの第３のチューブ（１１）は、前記少なくとも１つの分配器の前記少なくとも３つのチューブ取り付けポイントのうちの第３のチューブ取り付けポイントを、前記第２のチューブの少なくとも一部（１０）を除染するための衛生化媒体を備える少なくとも１つの衛生化源と接続し、
−前記非無菌化廃棄物処分部位（１６）は、ドレインであり、
前記装置は、少なくとも３つのチューブ取り付けポイントを備える少なくとも２つの分配器を備え、前記分配器の各々は、２つの弁を備えることを特徴とする、
装置。
【請求項２】
前記収集容器（１）の流体を前記非無菌化廃棄物処分部位（１６）に、前記衛生化媒体を前記第２のチューブ（１０）の少なくとも一部を通じて、それぞれポンピングする少なくとも１つのポンプを更に備え、少なくとも３つのチューブ取り付けポイントを備える前記少なくとも１つの分配器が、流体の流れを分配するためのＴピース（２、３）および／またはＹピースおよび／または三方弁を備える、請求項１に記載の装置。
【請求項３】
少なくとも３つのチューブ取り付けポイントを備える前記少なくとも１つの分配器が、
ａ）少なくとも２つの弁（５、７）、
ｂ）結合二重弁、および少なくとも１つのポンプ、
ｃ）Ｔピース（２、３）、Ｙピース、多方弁、
ｄ）複数の弁として作用する少なくとも２つのポンプ、
からなる群から選択される構成要素を更に備える、請求項１〜２のいずれか一項に記載の装置。
【請求項４】
エアギャップが、前記少なくとも１つの非無菌化廃棄物処分部位（１６）と、前記少なくとも１つの分配器の前記少なくとも３つのチューブ取り付けポイントのうちの前記第２のチューブ取り付けポイントを前記非無菌化廃棄物処分部位（１６）と接続する前記第２のチューブ（１０）と、の間に存在する、請求項１〜３のいずれか一項に記載の装置。
【請求項５】
前記非無菌化廃棄物処分部位（１６）が、ドレインであり、前記装置が、３つのポンプと、少なくとも３つのチューブ取り付けポイントを備える２つの分配器とを備え、前記分配器の各々が、２つの弁を備えることにより、前記収集容器（１）から前記分配器および前記２つの分配器のうちの１つを通じて前記ドレインへの流れを中断させないことを可能にし、かつ、他方の分配器の前記第２および第３のチューブを同時に除染することを可能にする、ことを特徴とする、請求項１〜４のいずれか一項に記載の装置。
【請求項６】
前記流体の流れと接触する全ての構成要素が、使い捨て可能な物品であるか、または使い捨て可能な物品として使用される、請求項１〜５のいずれか一項に記載の装置。
【請求項７】
請求項１〜６のいずれか一項に記載の１つ以上の装置を備える生産プラント。
【請求項８】
請求項１〜６のいずれか一項に記載の装置を用いて、微生物低減化または無菌化プロセスから非無菌化廃棄物を除去する方法。
【請求項９】
微生物低減化または無菌化プロセスからの非無菌化廃棄物除去を開始する前に、前記装置を衛生化媒体でフラッシュする、請求項８に記載の微生物低減化または無菌化プロセスから非無菌化廃棄物を除去する方法。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
異なる視野に対応する画像信号をそれぞれ放出及び受信する少なくとも２つの撮像要素と、
細長本体及び前記細長本体上に置かれたセンサを含む介入デバイスと、
前記少なくとも２つの撮像要素及び前記介入デバイスと通信し、画像信号から画像を生成し、前記センサから受信したセンサ信号データを使用して前記画像内の前記介入デバイスの位置を特定するプロセッサと、
を含み、
前記センサは、前記少なくとも２つの撮像要素の少なくとも１つから放出された画像信号に反応し、
前記センサ信号データは、前記少なくとも１つの撮像要素から放出された前記画像信号に対応する、撮像システム。
【請求項２】
前記少なくとも２つの撮像要素は、第１の撮像要素及び第２の撮像要素を含み、前記第１の撮像要素の位置は、前記第２の撮像要素の位置に関連して追跡される、請求項１に記載のシステム。
【請求項３】
前記第１の撮像要素は更に、基準点に関連して追跡される、請求項２に記載のシステム。
【請求項４】
前記少なくとも２つの撮像要素の位置は、電磁追跡、光学追跡及びこれらの組み合わせからなる群から選択される技術を使用して追跡される、請求項１に記載のシステム。
【請求項５】
前記センサ信号データは、第１の撮像要素に対応する第１のセンサ信号データ及び第２のセンサ要素に対応する第２のセンサ信号データを含み、前記第１のセンサ信号データと前記第２のセンサ信号データとは、前記介入デバイスの前記位置を特定するために比較される、請求項１に記載のシステム。
【請求項６】
前記第１のセンサ信号データ及び前記第２のセンサ信号データからの座標情報は、前記介入デバイスの前記位置を特定するために重み付けされて比較される、請求項５に記載のシステム。
【請求項７】
前記少なくとも２つの撮像要素の少なくとも１つは、移動可能である、又は、固定されている、請求項１に記載のシステム。
【請求項８】
前記少なくとも２つの撮像要素からの信号をコンパイルし、前記コンパイルした信号を、前記プロセッサに提供するマルチプレクサを更に含む、請求項１に記載のシステム。
【請求項９】
前記少なくとも２つの撮像要素の少なくとも１つは、超音波トランスデューサを含む、請求項１に記載のシステム。
【請求項１０】
前記超音波トランスデューサは、トランスデューサアレイの一部である、請求項９に記載のシステム。
【請求項１１】
処理ユニットと、
前記処理ユニットによって実行されると、前記処理ユニットに、
少なくとも２つの撮像要素からの画像信号を受信させる命令であって、各撮像要素は、関心領域の異なる視野に対応する画像信号をそれぞれ送信及び受信する、当該受信させる命令、
前記画像信号から画像を生成させる命令、
少なくとも１つの撮像要素の視野内の介入デバイスに置かれたセンサからのセンサ信号データを受信させる命令であって、前記センサ信号データは、前記少なくとも１つの撮像要素から放出された信号に対応する、当該受信させる命令、及び、
前記センサ信号データに基づいて、前記画像内の前記介入デバイスの位置を特定させる命令を記憶する、
前記処理ユニットに結合された記憶装置と、
を含む、
介入デバイスの位置を特定するシステム。
【請求項１２】
前記少なくとも２つの撮像要素から受信された前記画像信号は、前記画像を生成するように相互に位置合わせされる、請求項１１に記載のシステム。
【請求項１３】
前記少なくとも２つの撮像要素は、第１の撮像要素及び第２の撮像要素を含み、前記第１の撮像要素の位置は、前記第２の撮像要素の位置に対して追跡される、請求項１１に記載のシステム。
【請求項１４】
前記第１の撮像要素は更に、基準点に対して追跡される、請求項１３に記載のシステム。
【請求項１５】
前記少なくとも２つのトランスデューサアレイの位置は、電磁追跡又は光学追跡を使用して追跡される、請求項１２に記載のシステム。
【請求項１６】
前記センサ信号データは、第１の撮像要素に対応する第１のセンサ信号データ及び第２のセンサ要素に対応する第２のセンサ信号データを含み、前記第１のセンサ信号データ及び前記第２のセンサ信号データは、前記介入デバイスの前記位置を特定するために比較される、請求項１１に記載のシステム。
【請求項１７】
前記第１のセンサ信号データ及び前記第２のセンサ信号データからの座標情報は、前記介入デバイスの前記位置を特定するために重み付けされて比較される、請求項１６に記載のシステム。
【請求項１８】
前記少なくとも２つの撮像要素の少なくとも１つは、移動可能である、又は、固定されている、請求項１１に記載のシステム。
【請求項１９】
前記少なくとも２つの撮像要素の少なくとも１つは、超音波トランスデューサを含む、請求項１１に記載のシステム。
【請求項２０】
前記超音波トランスデューサは、トランスデューサアレイの一部である、請求項１９に記載のシステム。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
容器（１４）の少なくとも１つの容器壁（１６）に対して前記容器（１４）内に少なくとも１つの脆性ユニット（１２）を保持するために構成され、この目的のために少なくとも１つの保持ユニット（１８）を有する、少なくとも１つの保持部（１０）を有する撹拌装置、特に反応器撹拌装置であって、
前記容器壁（１６）に対する前記保持部（１０）の少なくとも１つの保持位置を、前記保持ユニット（１８）によって適合させることができることを特徴とする、撹拌装置。
【請求項２】
前記脆性ユニット（１２）の重力および横方向の力または重力もしくは横方向の力を少なくとも部分的に受容するために構成され、少なくとも１つの装着状態において前記容器壁（１６）に接続される少なくとも１つのキャリアユニット（２０）を前記保持ユニット（１８）が有することを特徴とする、請求項１に記載の撹拌装置。
【請求項３】
前記保持ユニット（１８）が少なくとも１つの接続ユニット（２２）を有し、これは前記脆性ユニット（１２）の周りで円周方向に少なくとも部分的に係合するために、および、前記脆性ユニット（１２）を前記容器壁（１６）に接続するために構成されていることを特徴とする、請求項２に記載の攪拌装置。
【請求項４】
前記接続ユニット（２２）は、少なくとも１つの予め組み立てられた状態で前記キャリアユニット（２０）に対して移動可能に支持されていることを特徴とする、請求項３に記載の撹拌装置。
【請求項５】
前記接続ユニット（２２）が、前記キャリアユニット（２０）に対する移動可能支持のための少なくとも１つの案内要素（２４，２５）を有することを特徴とする、請求項３または４に記載の撹拌装置。
【請求項６】
前記接続ユニット（２２）が少なくとも１つのさらなる案内要素（２６，２７）を有し、前記キャリアユニット（２０）が、少なくとも１つの装着状態において、前記案内要素（２４，２５）と前記さらなる案内要素（２６，２７）との間にクランプされることを特徴とする、請求項３又は５に記載の撹拌装置。
【請求項７】
前記接続ユニット（２２）が、前記脆性ユニット（１２）と接触するための少なくとも１つの接触面（３０）を提供するように構成された少なくとも１つの接触要素（２８）を有することを特徴とする、請求項３〜６のいずれか一項に記載の攪拌装置。
【請求項８】
前記接触面（３０）が、前記脆性ユニット（１２）の少なくとも１つの表面（３２）に少なくとも実質的に適合された形状を有することを特徴とする、請求項７に記載の攪拌装置。
【請求項９】
前記接続ユニット（２２）が、前記脆性ユニット（１２）と接触するための少なくとも１つの接触面（３０）を提供するように構成された少なくとも１つの接触要素（２８）を有し、前記案内要素（２４，２５，２６，２７）が少なくとも形状嵌め方式で前記接触要素（２８）に接続されていることを特徴とする、少なくとも請求項５に記載の攪拌装置。
【請求項１０】
前記接触要素（２８）が前記案内要素（２４，２５，２６，２７）内にクリップ留めされることを特徴とする、請求項９に記載の撹拌装置。
【請求項１１】
前記接続ユニット（２２）が少なくとも１つの装着状態において前記キャリアユニット（２０）に固定的に接続されることを特徴とする、請求項３〜１０のいずれか一項に記載の撹拌装置。
【請求項１２】
前記保持ユニット（１８）が、前記装着状態において前記接続ユニット（２２）への前記キャリアユニット（２０）の前記接続を確保する少なくとも１つの固定ユニット（３４）を有することを特徴とする、請求項１１に記載の攪拌装置。
【請求項１３】
少なくとも部分的にガラスで構成されている前記脆性ユニット（１２）を特徴とする、請求項１〜１２のいずれか一項に記載の撹拌装置。
【請求項１４】
前記保持部（１０）が、前記容器壁（１６）に沿って見たときに前記保持ユニット（１８）に対してずれて配置される少なくとも１つのさらなる保持ユニット（３６，３７）を有することを特徴とする、請求項１〜１３のいずれか一項に記載の攪拌装置。
【請求項１５】
特に請求項１〜１４のいずれか一項に記載の攪拌装置を用いて保持部（１０）によって容器（１４）内に脆性ユニット（１２）を装着するための方法であって、
公差が前記保持部（１０）の少なくとも１つの保持ユニット（１８）によって補償されることを特徴とする、方法。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
機能性ＲｕＢｉｓＣＯ酵素および機能性ホスホリブロキナーゼ（ＰＲＫ）を発現し、解糖経路が１，３−ビホスホ−Ｄ−グリセリン酸（１，３−ＢＰＧ）の産生の上流または３−ホスホグリセリン酸（３ＰＧ）の産生の上流、およびグリセルアルデヒド−３−リン酸（Ｇ３Ｐ）の産生の下流で少なくとも部分的に阻害されている遺伝的に改変された微生物であって、当該微生物が、ＲｕＢｉｓＣＯ酵素またはホスホリブロキナーゼ酵素以外の、目的の外因性分子を産生および／または目的の内因性分子を過剰産生するように遺伝的に改変されている、微生物。
【請求項２】
ペントースリン酸経路の酸化分岐もまた少なくとも部分的に阻害されている、請求項１に記載の遺伝的に改変された微生物。
【請求項３】
前記微生物が、組換えＲｕＢｉｓＣＯ酵素および／またはＰＲＫを発現するように遺伝的に改変されている、請求項１または２に記載の遺伝的に改変された微生物。
【請求項４】
前記微生物が、リブロース−５−リン酸産生の上流の前記ペントースリン酸経路の酸化分岐を阻害するように遺伝的に改変されている、請求項２または３に記載の遺伝的に改変された微生物。
【請求項５】
前記外因性分子および／または前記内因性分子が、アミノ酸、ペプチド、タンパク質、ビタミン、ステロール、フラボノイド、テルペン、テルペノイド、脂肪酸、ポリオールおよび有機酸から選択される、請求項４に記載の遺伝的に改変された微生物。
【請求項６】
前記微生物が、真核細胞、優先的には酵母、真菌、微細藻類または原核細胞から選ばれるもの、優先的には細菌である、請求項１〜５のいずれか一項に記載の遺伝的に改変された微生物。
【請求項７】
グリセルアルデヒド３−リン酸デヒドロゲナーゼをコードする遺伝子の発現が、少なくとも部分的に阻害されている、請求項１〜６のいずれか一項に記載の遺伝的に改変された微生物。
【請求項８】
ホスホグリセリン酸キナーゼをコードする遺伝子の発現が、少なくとも部分的に阻害される、請求項１〜７のいずれか一項に記載の遺伝的に改変された微生物。
【請求項９】
グルコース−６−リン酸デヒドロゲナーゼまたは６−ホスホグルコノラクトナーゼまたは６−ホスホグルコン酸デヒドロゲナーゼをコードする遺伝子の発現が、少なくとも部分的に阻害されている、請求項７または８に記載の遺伝的に改変された微生物。
【請求項１０】
前記微生物が、機能性Ｉ型またはＩＩ型ＲｕＢｉｓＣＯと機能性ホスホリブロキナーゼ（ＰＲＫ）を発現するように遺伝的に改変されたサッカロミセス・セレビシエ属の酵母であって、ＴＤＨ１、ＴＤＨ２および／またはＴＤＨ３遺伝子の発現が少なくとも部分的に阻害されている、請求項１〜９のいずれか一項に記載の遺伝的に改変された微生物。
【請求項１１】
前記微生物が、機能性Ｉ型またはＩＩ型ＲｕＢｉｓＣＯと機能性ホスホリブロキナーゼ（ＰＲＫ）を発現するように遺伝的に改変されたサッカロミセス・セレビシエ酵母であって、ＰＧＫ１遺伝子の発現が少なくとも部分的に阻害されている、請求項１〜１０のいずれか一項に記載の遺伝的に改変された微生物。
【請求項１２】
ＺＷＦ１遺伝子の発現が、少なくとも部分的に阻害されている、請求項１０または１１に記載の遺伝的に改変された微生物。
【請求項１３】
前記微生物が、機能性Ｉ型またはＩＩ型ＲｕＢｉｓＣＯと機能的ホスホリブロキナーゼ（ＰＲＫ）を発現するように遺伝的に改変されたアスペルギルス属の糸状菌であって、ｐｇｋ遺伝子およびｇｓｄＡ遺伝子の発現が少なくとも部分的に阻害されている、請求項１〜９のいずれか一項に記載の遺伝的に改変された微生物。
【請求項１４】
前記微生物が、機能性Ｉ型またはＩＩ型ＲｕＢｉｓＣＯと機能的ホスホリブロキナーゼ（ＰＲＫ）を発現するように遺伝的に改変された大腸菌であって、ｇａｐＡ遺伝子および／またはｐｇｋ遺伝子、ならびに任意にｚｗｆ遺伝子の発現が少なくとも部分的に阻害されている、請求項１〜９のいずれか一項に記載の遺伝的に改変された微生物。
【請求項１５】
目的分子、優先的には、アミノ酸、ペプチド、タンパク質、ビタミン、ステロール、フラボノイド、テルペン、テルペノイド、脂肪酸、ポリオールおよび有機酸から選ばれるものの産生または過剰産生のための、請求項１〜１４のいずれか一項に記載の遺伝的に改変された微生物の使用。
【請求項１６】
グルタミン酸、クエン酸、イタコン酸またはＧＡＢＡの産生または過剰産生のための、請求項１５に記載の使用。
【請求項１７】
少なくとも１つの目的分子を産生するための生物工学的方法であって、請求項１〜１４のいずれか一項に記載の遺伝的に改変された微生物を、当該微生物によって前記目的分子の合成または生物変換を可能にする条件下で培養する工程と、任意に前記目的分子を回収および／または精製する工程とを含むことを特徴とする、方法。
【請求項１８】
前記目的分子が、アミノ酸、ペプチド、タンパク質、ビタミン、ステロール、フラボノイド、テルペン、テルペノイド、脂肪酸、ポリオールおよび有機酸から選択される、請求項１７に記載の生物工学的方法。
【請求項１９】
前記目的分子が、グルタミン酸、クエン酸、イタコン酸またはＧＡＢＡから選択される、請求項１７または１８に記載の生物工学的方法。
【請求項２０】
前記微生物が、前記目的分子の生物変換または合成に関与する少なくとも１つの酵素を発現するように遺伝的に改変されている、請求項１７〜１９のいずれか一項に記載の生物工学的方法。
【請求項２１】
前記微生物が、前記目的分子の分解に関与する酵素を少なくとも部分的に阻害するように遺伝的に改変されている、請求項１７〜１９のいずれか一項に記載の生物工学的方法。
【請求項２２】
目的分子を産生する方法であって、（ｉ）請求項１〜１４のいずれか一項に記載の組換え微生物への前記目的分子の合成または生物変換に関与する酵素をコードする少なくとも１つの配列を挿入することと、（ｉｉ）前記酵素の発現を可能にする条件下で前記微生物を培養することと、任意に（ｉｉｉ）前記目的分子を回収および／または精製することとを含む、方法。
【請求項２３】
目的分子を産生する方法であって、（ｉ）請求項１〜１４のいずれか一項に記載の組換え微生物への前記目的分子の分解に関与する酵素をコードする少なくとも１つの遺伝子の発現を阻害することと、（ｉｉ）前記酵素の発現を可能にする条件下で前記微生物を培養することと、任意に（ｉｉｉ）前記目的分子を回収および／または精製することとを含む、方法。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
機能性ＲｕＢｉｓＣＯ酵素および機能性ホスホリブロキナーゼ（ＰＲＫ）を発現し、ペントースリン酸経路の非酸化分岐が少なくとも部分的に阻害されている遺伝的に改変された微生物であって、当該微生物が、ＲｕＢｉｓＣＯ酵素および／またはホスホリブロキナーゼ（ＰＲＫ）以外の、目的の外因性分子を産生および／または目的の内因性分子を過剰産生するように遺伝的に改変されている、微生物。
【請求項２】
前記微生物が、組換えＲｕＢｉｓＣＯ酵素および／またはＰＲＫを発現するように遺伝的に改変されている、請求項１に記載の遺伝的に改変された微生物。
【請求項３】
前記微生物が、リブロース−５−リン酸産生の下流の前記ペントースリン酸経路の非酸化分岐を阻害するように遺伝的に改変されている、請求項１または２に記載の遺伝的に改変された微生物。
【請求項４】
トランスアルドラーゼ（Ｅ．Ｃ．２．２．１．２）および／またはトランスケトラーゼ（Ｅ．Ｃ．２．２．１．１）をコードする遺伝子の発現が、少なくとも部分的に阻害されている、請求項１〜３のいずれか一項に記載の遺伝的に改変された微生物。
【請求項５】
前記目的の外因性分子および／または前記目的の内因性分子が、アミノ酸、ペプチド、タンパク質、ビタミン、ステロール、フラボノイド、テルペン、テルペノイド、脂肪酸、ポリオールおよび有機酸から選択される、請求項１〜４のいずれか一項に記載の遺伝的に改変された微生物。
【請求項６】
前記微生物が、真核細胞、優先的には酵母、真菌、微細藻類または原核細胞から選ばれるもの、優先的には細菌である、請求項１〜５のいずれか一項に記載の遺伝的に改変された微生物。
【請求項７】
前記微生物が、機能性Ｉ型またはＩＩ型ＲｕＢｉｓＣＯと機能性ホスホリブロキナーゼ（ＰＲＫ）を発現するように遺伝的に改変されたサッカロミセス・セレビシエ属の酵母であって、ＴＡＬ１遺伝子および／またはＮＱＭ１遺伝子の発現が少なくとも部分的に阻害されている、請求項１〜６のいずれか一項に記載の遺伝的に改変された微生物。
【請求項８】
ＲｕＢｉｓＣＯ酵素および／またはホスホリブロキナーゼ（ＰＲＫ）以外の目的分子、優先的には、アミノ酸、ペプチド、タンパク質、ビタミン、ステロール、フラボノイド、テルペン、テルペノイド、脂肪酸、ポリオールおよび有機酸から選ばれるものの産生または過剰産生のための、請求項１〜７のいずれか一項に記載の遺伝的に改変された微生物の使用。
【請求項９】
ＲｕＢｉｓＣＯ酵素および／またはホスホリブロキナーゼ（ＰＲＫ）以外の、少なくとも１つの目的分子を産生するための生物工学的方法であって、請求項１〜８のいずれか一項に記載の遺伝的に改変された微生物を、前記微生物によって前記目的分子の合成または生物変換を可能にする条件下で培養する工程と、任意に前記目的分子を回収および／または精製する工程とを含むことを特徴とする、方法。
【請求項１０】
前記微生物が、前記目的分子の生物変換または合成に関与する少なくとも１つの酵素を発現するように遺伝的に改変されている、請求項９に記載の生物工学的方法。
【請求項１１】
前記微生物が、前記目的分子の分解に関与する酵素を少なくとも部分的に阻害するように遺伝的に改変されている、請求項９または１０に記載の生物工学的方法。
【請求項１２】
ＲｕＢｉｓＣＯ酵素および／またはホスホリブロキナーゼ（ＰＲＫ）以外の目的分子を産生する方法であって、（ｉ）請求項１〜８のいずれか一項に記載の組換え微生物への前記目的分子の合成または生物変換に関与する酵素をコードする少なくとも１つの配列を挿入することと、（ｉｉ）前記酵素の発現を可能にする条件下で前記微生物を培養することと、任意に（ｉｉｉ）前記目的分子を回収および／または精製することとを含む、方法。
【請求項１３】
ＲｕＢｉｓＣＯ酵素および／またはホスホリブロキナーゼ（ＰＲＫ）以外の目的分子を産生する方法であって、（ｉ）請求項１〜８のいずれか一項に記載の組換え微生物への前記目的分子の分解に関与する酵素をコードする少なくとも１つの遺伝子の発現を阻害することと、（ｉｉ）前記酵素の発現を可能にする条件下で前記微生物を培養することと、任意に（ｉｉｉ）前記目的分子を回収および／または精製することとを含む、方法。